(57)【要約】【課題】引下線用コネクタを高圧線から容易に取り外すことができる引下線用コネクタ固定金具を提供する。【解決手段】コネクタ固定金具１０は、絶縁操作棒６０を取り付けるための操作棒取付部材１６と、操作棒取付部材１６に取り付けられた絶縁操作棒６０を回すと第２の高圧線接続部５１2の両側面を挟持して引下線用コネクタ５０をコネクタ固定金具１０で固定するための引下線用コネクタ挟持手段として機能する固定挟持部材１１，収納部材１２，可動挟持部材１３，圧縮バネ１３ａ、押圧部材１４およびネジ１５と、固定挟持部材１１に取り付けられるとともにコネクタ固定金具１０を高圧線１に取り付けるための高圧線保持部材１７とを具備する。【選択図】図４
2016111799.tif 000002
【特許請求の範囲】
【請求項１】
電柱間に架設された高圧線から引下線を分岐する際に用いられている引下線用コネクタ（５０）を固定するための引下線用コネクタ固定金具（１０）であって、
前記引下線用コネクタが、前記高圧線を挟持して該引下線用コネクタを該高圧線に取り付けるための第１および第２の高圧線接続部（５１1，５１2）と、該第１および第２の高圧線接続部を締結するための締結具（５２）とを備え、
前記引下線用コネクタ固定金具が、
絶縁操作棒（６０）を取り付けるための操作棒取付部材（１６）と、
該操作棒取付部材に取り付けられた前記絶縁操作棒を回すと前記第２の高圧線接続部（５１2）の両側面を挟持して前記引下線用コネクタを固定するための引下線用コネクタ挟持手段と、
該引下線用コネクタ挟持手段に取り付けられた、かつ、前記引下線用コネクタ固定金具を前記高圧線に取り付けるための高圧線保持手段とを具備する、
ことを特徴とする、引下線用コネクタ固定金具。
【請求項２】
前記引下線用コネクタ挟持手段が、固定挟持部材（１１）と、収納部材（１２）と、上底面の横幅が下底面の横幅よりも大きくなるように右側面が斜面とされた直角台形板状の可動挟持部材（１３）と、圧縮バネ（１３ａ）と、上底面の横幅が下底面の横幅よりも小さくなるように左側面が斜面とされた直角台形板状の押圧部材（１４）と、ネジ（１５）とを備え、
前記固定挟持部材の表面が、前記引下線用コネクタの横幅よりも内面の横幅が大きくされた凹面とされており、
前記収納部材の上端部の裏面および右側面が前記固定挟持部材の前記凹面の底面および右側面にそれぞれ固定されており、該収納部材内に前記可動挟持部材、前記押圧部材および前記ネジの上端部を収納するための収納空間が形成されており、該収納部材の左側面の上端部に前記可動挟持部材の左側面部を該収納部材から突出させるための開口部が形成されているとともに、該収納部材の底面部の中央部に前記ネジと螺合する螺合溝が切られたネジ孔が形成されており、
前記圧縮バネが、前記可動挟持部材を前記収納部材の前記開口部と反対方向に付勢するように該収納部材の前記収納空間に取り付けられており、
前記ネジの上端部が前記押圧部材の下底面の中央部に回転可能に取り付けられているとともに、該ネジの下端部が前記操作棒取付部材の上面の中央部に固定されている、
ことを特徴とする、請求項１記載の引下線用コネクタ固定金具。
【請求項３】
前記引下線用コネクタの前記締結具が、ボルト（５２）を備え、
前記引下線用コネクタ固定金具の前記固定挟持部材の下端部に、前記引下線用コネクタを前記コネクタ固定金具で固定する際に前記ボルトのボルト軸を前記固定挟持部材の表面から裏面に通すためのボルト軸通し用切欠き（１１ａ）が形成されている、
ことを特徴とする、請求項１または２記載の引下線用コネクタ固定金具。
【請求項４】
前記高圧線保持手段が、矩形板状の本体部と、該本体部の左側面の下端部および右側面の上端部に前記固定挟持部材側に向けて突出するようにそれぞれ取り付けられた高圧線下方部支持部材（１７ａ）および高圧線上方部支持部材（１７ｂ）とを備え、
前記本体部が、固定ネジ（１８）によって前記固定挟持部材の後面に取り付けられており、
前記高圧線下方部支持部材の先端部が、前記高圧線を前記高圧線上方部支持部材と共に挟持したときに内面が該高圧線の下方部に密着するような円弧凹面とされており、
前記高圧線上方部支持部材の先端部が、前記高圧線を前記高圧線下方部支持部材と共に保持したときに内面が該高圧線の上方部に密着するような円弧凹面とされている、
ことを特徴とする、請求項１乃至３いずれかに記載の引下線用コネクタ固定金具。
【発明の詳細な説明】
【技術分野】
【０００１】
本発明は、電柱間に架設された高圧線から引下線を分岐する際に用いられている引下線用コネクタの締結具を緩めるのに好適な引下線用コネクタ固定金具に関する。
【背景技術】
【０００２】
従来、電柱間に架設された高圧線１（絶縁電線）から引下線２を分岐して変圧器に引き込む際には、たとえば図５（ａ）〜（ｃ）に示す引下線用コネクタ５０を用いて引下線２を高圧線１に接続している（下記の特許文献１参照）。
【０００３】
引下線用コネクタ５０は、高圧線１を挟持して引下線用コネクタ５０を高圧線１に取り付けるための第１および第２の高圧線接続部５１1，５１2と、第１および第２の高圧線接続部５１1，５１2を締結するためのボルト５２（締結具）と、第１および第２の高圧線接続部５１1，５１2を弾性力で締め付けるための第１および第２の弾性材５３1，５３2と、上面が第２の高圧線接続部５１2の下面に固定された板状の把持部５４と、把持部５４の表面の両端縁部にそれぞれ垂設された第１および第２のガイド材５５1，５５2とを備える。
【０００４】
第１および第２の高圧線接続部５１1，５１2の上端部には、互いに対向する位置に円弧状の第１および第２の高圧線保持用溝５１ａ1，５１ａ2がそれぞれ形成されており（図５（ｃ）参照）、第１および第２の高圧線保持用溝５１ａ1，５１ａ2によって形成される高圧線保持部５１ｂ（第１および第２の高圧線保持用溝５１ａ1，５１ａ2の長手方向に形成される略円柱形状の空間）に高圧線１が挟持（保持）される。
そのため、第１および第２の高圧線保持用溝５１ａ1，５１ａ2は、高圧線１を挟持したときに内面が高圧線１に密着するように形成されている。
【０００５】
また、第１および第２の高圧線接続部５１1，５１2の下端部には、互いに対向する位置に円弧状の第１および第２の引下線保持用溝５１ｃ1，５１ｃ2がそれぞれ形成されており（図５（ｃ）参照）、第１および第２の引下線保持用溝５１ｃ1，５１ｃ2によって形成される引下線挿通部５１ｄ（第１および第２の引下線保持用溝５１ｃ1，５１ｃ2の長手方向に形成される略円柱状の空間）内に引下線２が挿通される。
そのため、第１および第２の引下線保持用溝５１ｃ1，５１ｃ2は、引下線２を挟持したときに内面が引下線２の被覆の弾性力によって密着するように形成されている。
【０００６】
第１の弾性材５３1は、針金状のバネであり、中央部が把持部５４の表面から裏面まで貫通するとともに、両端部が第１および第２の高圧線接続部５１1，５１2の中央部の左右端部にそれぞれ固定されている。
同様に、第２の弾性材５３2は、針金状のバネであり、中央部が把持部５４の表面から裏面まで貫通するとともに、両端部が第１および第２の高圧線接続部５１1，５１2の中央部の左右端部にそれぞれ固定されている。
これにより、第１および第２の高圧線接続部５１1，５１2は、高圧線保持部５１ｂに挟持された高圧線１を挟む方向に第１および第２の弾性材５３1，５３2によって締め付けられている。
【０００７】
第２の高圧線接続部５１2の下端部の第２の引下線保持用溝５１ｃ2の上には、凹部５１ｅが形成されており、第１の高圧線接続部５１1の下端部の第１の引下線保持用溝５１ｃ1の上には、凹部５１ｅに嵌合する凸部５１ｆが形成されている（図５（ｃ）参照）。
これにより、第１の高圧線接続部５１1は、第２の高圧線接続部５１2に対して凹部５１ｅと凸部５１ｆとの嵌合部を中心にして第１および第２の弾性材５３1，５３2の弾性力に抗して略Ｖ型に開くように揺動可能とされている。
その結果、第１の高圧線接続部５１1を第２の高圧線接続部５１2に対して略Ｖ型に揺動させると、第１および第２の高圧線接続部５１1，５１2の上端部間を開いたり閉めたりすることができる。
【０００８】
第１および第２のガイド材５５1，５５2は、絶縁ヤットコの先端部の横幅よりもやや広い所定の間隔で配置されている。また、第１および第２のガイド材５５1，５５2の下端部（第１および第２の高圧線接続部５１1，５１2と反対側の端部）は、外方に向かって次第に細くなるテーパー状に形成されている。
【０００９】
ボルト５２は、高圧線１を高圧線保持部５１ｂに挟持した状態で引下線用コネクタ５０を高圧線１に取り付けたり高圧線１から取り外したりするためのものである。
すなわち、作業員は、絶縁ヤットコで把持部５４を把持して間接ラチェットでボルト５２を締め付けたり緩めたりすることにより、引下線用コネクタ５０を高圧線１に取り付けたり高圧線１から取り外したりする。
【先行技術文献】
【特許文献】
【００１０】
【特許文献１】特開２０１１−１００６１４号公報
【発明の概要】
【発明が解決しようとする課題】
【００１１】
しかしながら、間接ラチェットでボルト５２を締め付けて引下線用コネクタ５０を高圧線１に取り付ける際には特に問題はないが、間接ラチェットでボルト５２を緩めて引下線用コネクタ５０を高圧線１から取り外す際にはボルト５２が固く締め付けられていると引下線用コネクタ５０を容易に取り外せない場合があり、このような場合には止むを得ず引下線２の縁切りを行ったのちに縁付けを行っているという問題があった。
また、引下線用コネクタ５０を高圧線１から取り外す際にボルト５２を無理に緩めようとすると高圧線１に無理な張力が掛って高圧線１に不要な癖が付くという問題があった。
【００１２】
本発明の目的は、引下線用コネクタを高圧線から容易に取り外すことができる引下線用コネクタ固定金具を提供することにある。
【課題を解決するための手段】
【００１３】
本発明の引下線用コネクタ固定金具は、電柱間に架設された高圧線から引下線を分岐する際に用いられている引下線用コネクタ（５０）を固定するための引下線用コネクタ固定金具（１０）であって、前記引下線用コネクタが、前記高圧線を挟持して該引下線用コネクタを該高圧線に取り付けるための第１および第２の高圧線接続部（５１1，５１2）と、該第１および第２の高圧線接続部を締結するための締結具（５２）とを備え、前記引下線用コネクタ固定金具が、絶縁操作棒（６０）を取り付けるための操作棒取付部材（１６）と、該操作棒取付部材に取り付けられた前記絶縁操作棒を回すと前記第２の高圧線接続部（５１2）の両側面を挟持して前記引下線用コネクタを固定するための引下線用コネクタ挟持手段と、該引下線用コネクタ挟持手段に取り付けられた、かつ、前記引下線用コネクタ固定金具を前記高圧線に取り付けるための高圧線保持手段とを具備することを特徴とする。
ここで、前記引下線用コネクタ挟持手段が、固定挟持部材（１１）と、収納部材（１２）と、上底面の横幅が下底面の横幅よりも大きくなるように右側面が斜面とされた直角台形板状の可動挟持部材（１３）と、圧縮バネ（１３ａ）と、上底面の横幅が下底面の横幅よりも小さくなるように左側面が斜面とされた直角台形板状の押圧部材（１４）と、ネジ（１５）とを備え、前記固定挟持部材の表面が、前記引下線用コネクタの横幅よりも内面の横幅が大きくされた凹面とされており、前記収納部材の上端部の裏面および右側面が前記固定挟持部材の前記凹面の底面および右側面にそれぞれ固定されており、該収納部材内に前記可動挟持部材、前記押圧部材および前記ネジの上端部を収納するための収納空間が形成されており、該収納部材の左側面の上端部に前記可動挟持部材の左側面部を該収納部材から突出させるための開口部が形成されているとともに、該収納部材の底面部の中央部に前記ネジと螺合する螺合溝が切られたネジ孔が形成されており、前記圧縮バネが、前記可動挟持部材を前記収納部材の前記開口部と反対方向に付勢するように該収納部材の前記収納空間に取り付けられており、前記ネジの上端部が前記押圧部材の下底面の中央部に回転可能に取り付けられているとともに、該ネジの下端部が前記操作棒取付部材の上面の中央部に固定されていてもよい。
前記引下線用コネクタの前記締結具が、ボルト（５２）を備え、前記引下線用コネクタ固定金具の前記固定挟持部材の下端部に、前記引下線用コネクタを前記コネクタ固定金具で固定する際に前記ボルトのボルト軸を前記固定挟持部材の表面から裏面に通すためのボルト軸通し用切欠き（１１ａ）が形成されていてもよい。
前記高圧線保持手段が、矩形板状の本体部と、該本体部の左側面の下端部および右側面の上端部に前記固定挟持部材側に向けて突出するようにそれぞれ取り付けられた高圧線下方部支持部材（１７ａ）および高圧線上方部支持部材（１７ｂ）とを備え、前記本体部が、固定ネジ（１８）によって前記固定挟持部材の後面に取り付けられており、前記高圧線下方部支持部材の先端部が、前記高圧線を前記高圧線上方部支持部材と共に挟持したときに内面が該高圧線の下方部に密着するような円弧凹面とされており、前記高圧線上方部支持部材の先端部が、前記高圧線を前記高圧線下方部支持部材と共に保持したときに内面が該高圧線の上方部に密着するような円弧凹面とされていてもよい。
【発明の効果】
【００１４】
本発明の引下線用コネクタ固定金具は、引下線用コネクタの第２の高圧線接続部の両側面を挟持して引下線用コネクタを固定することにより、引下線用コネクタの締結具が固く締め付けられていても、間接ラチェットで締結具を容易に緩めることができるため、引下線用コネクタを高圧線から容易に取り外すことができるという効果を奏する。
【図面の簡単な説明】
【００１５】
【図１】本発明の一実施例による引下線用コネクタ固定金具１０の構成を示す図であり、（ａ）はその上面図であり、（ｂ）はその左側面図であり、（ｃ）はその正面図である。
【図２】図１（ｃ）に示した収納部材１２の収納空間内の構成を示す図であり、（ａ）は可動挟持部材１３を収納部材１２の収納空間内に収納させた状態を示す図であり、（ｂ）は可動挟持部材１３を収納部材１２の開口部から突出させた状態を示す図である。
【図３】絶縁操作棒６０の構成を示す図である。
【図４】図１（ａ）〜（ｃ）に示した引下線用コネクタ固定金具１０の使用方法について説明するための図であり、（ａ）および（ｂ）は引下線用コネクタ５０を挟持する前の引下線用コネクタ固定金具１０の状態を示す左側面図および正面図であり、（ｃ）および（ｄ）は引下線用コネクタ５０を挟持した後の引下線用コネクタ固定金具１０の状態を示す左側面図および正面図である。
【図５】引下線用コネクタ５０の構成を示す図であり、（ａ）はその正面図であり、（ｂ）はその背面図であり、（ｃ）はその左側面図である。
【発明を実施するための形態】
【００１６】
上記の目的を、操作棒取付部材に取り付けられた絶縁操作棒を回すと引下線用コネクタの第２の高圧線接続部の両側面を挟持して引下線用コネクタを固定することにより実現した。
【実施例１】
【００１７】
以下、本発明の引下線用コネクタ固定金具の実施例について図面を参照して説明する。
本発明の一実施例による引下線用コネクタ固定金具１０（以下、「コネクタ固定金具１０」と称する。）は、図１（ａ）〜（ｃ）に示すように、固定挟持部材１１と、収納部材１２と、可動挟持部材１３と、押圧部材１４と、ネジ１５と、操作棒取付部材１６と、高圧線保持部材１７と、固定ネジ１８とを具備する。
【００１８】
ここで、固定挟持部材１１は、図１（ａ）に示すように表面が凹面とされた上面視コの字状の形状を有する矩形板状の部材であり、引下線用コネクタ５０をコネクタ固定金具１０で固定する際に可動挟持部材１３と共に引下線用コネクタ５０の第２の高圧線接続部５１2の両側面を左右方向（横方向）から挟持するためのものである（図４（ａ）〜（ｄ）参照）。そのため、固定挟持部材１１の凹面の内面の横幅は引下線用コネクタ５０の横幅よりも大きくされている。
固定挟持部材１１の下端部の中央左寄りの部分には、図１（ｃ）に示すように、引下線用コネクタ５０をコネクタ固定金具１０で固定する際にボルト５２のボルト軸を固定挟持部材１１の表面から裏面に通すための矩形状のボルト軸通し用切欠き１１ａが形成されている（図４（ａ）〜（ｄ）参照）。
【００１９】
収納部材１２は、上端部の裏面および右側面が固定挟持部材１１の凹面の底面および右側面にそれぞれ固定された矩形板状の部材である。収納部材１２の上端部の左側面と固定挟持部材１１のボルト軸通し用切欠き１１ａの右側面とは同一平面上となるようにされている。
収納部材１２内には、図２（ａ），（ｂ）に示すように、可動挟持部材１３、圧縮バネ１３ａ、押圧部材１４およびネジ１５の上端部を収納するための収納空間が形成されている。
収納部材１２の左側面の上端部には、可動挟持部材１３の左側面部を収納部材１２から突出させるための開口部が形成されている。また、収納部材１２の底面部の中央部には、ネジ１５と螺合する螺合溝が切られたネジ孔が形成されている。
【００２０】
可動挟持部材１３は、上底面の横幅が下底面の横幅よりも大きくなるように右側面が斜面とされた直角台形板状の部材である。
収納部材１２の収納空間には、図２（ａ），（ｂ）に示すように可動挟持部材１３を右方向（収納部材１２の開口部と反対方向）に付勢するように一端が可動挟持部材１３の右側面の上端部に固定されるとともに他端が収納部材１２の右側面の内面に固定された圧縮バネ１３ａが取り付けられている。
【００２１】
押圧部材１４は、上底面の横幅が下底面の横幅よりも小さくなるように左側面が斜面とされた直角台形板状の部材である。
【００２２】
ネジ１５の上端部は押圧部材１４の下底面の中央部に回転可能に取り付けられており、ネジ１５の下端部は操作棒取付部材１６の上面の中央部に固定されている。
コネクタ固定金具１０に絶縁操作棒６０（図３参照）を取り付ける前は、図２（ａ）に示すようにネジ１５の中央部よりも上端部側を収納部材１２のネジ孔の螺合溝と螺合させて、押圧部材１４の斜面（左側面）の上端部を可動挟持部材１３の斜面（右側面）の下端部と密着させておく。
【００２３】
操作棒取付部材１６は、図３に示す絶縁操作棒６０の挿入部材６１ｂを挿入するための挿入穴が下面に形成されているとともに、絶縁操作棒６０の挿入部材６１ｂの外周面に互いに対向するように突設された２つの矩形棒状の突起６１ｃをそれぞれ引っ掛けて絶縁操作棒６０を操作棒取付部材１６に取り付けるための２つのＴ字状の切欠き１６ａが外周面に形成されている。
【００２４】
これにより、突起６１ｃが操作棒取付部材１６の切欠き１６ａの縦線部を通って切欠き１６ａの横線部に当接するまで絶縁操作棒６０の挿入部材６１ｂを操作棒取付部材１６の挿入穴に挿入し、突起６１ｃが操作棒取付部材１６の切欠き１６ａの横線部の右端または左端に当接するまで絶縁操作棒６０をその中心軸を回転軸として左回りまたは右回りに回し、絶縁操作棒６０を突起６１ｃが操作棒取付部材１６の切欠き１６ａの横線部の右端部または左端部の下端に当接するまで絶縁操作棒６０を下方に引いたのち、絶縁操作棒６０を操作棒取付部材１６にロックすることにより、図２（ａ）に示すようにコネクタ固定金具１０に絶縁操作棒６０を取り付けることができる。
また、コネクタ固定金具１０に取り付けた絶縁操作棒６０を左回りに回すことにより、図２（ｂ）に矢印で示すようにネジ１５を介して押圧部材１４を上方に移動させ、押圧部材１４により可動挟持部材１３を圧縮バネ１３ａの付勢力に抗して左方向に移動させて、可動挟持部材１３の左側面部を収納部材１２の開口部から突出させることができるとともに、コネクタ固定金具１０に取り付けた絶縁操作棒６０を右回りに回すことにより、ネジ１５を介して押圧部材１４を下方に移動させ、可動挟持部材１３を圧縮バネ１３ａの付勢力によって右方向に移動させて、可動挟持部材１３の左側面部を収納部材１２の収納空間内に収納させることができる。
【００２５】
高圧線保持部材１７は、矩形板状の本体部と、本体部の左側面の下端部および右側面の上端部に固定挟持部材１１側に向けて突出するようにそれぞれ取り付けられた高圧線下方部支持部材１７ａおよび高圧線上方部支持部材１７ｂとを備える。
高圧線保持部材１７の本体部は、固定ネジ１８によって固定挟持部材１１の後面に取り付けられている。
高圧線保持部材１７の高圧線下方部支持部材１７ａの先端部は、図４（ｂ）に破線で示す高圧線１を高圧線上方部支持部材１７ｂと共に挟持（保持）したときに内面が高圧線１の下方部に密着するような円弧凹面とされている。
同様に、高圧線保持部材１７の高圧線上方部支持部材１７ｂの先端部は、高圧線１を高圧線下方部支持部材１７ａと共に保持したときに内面が高圧線１の上方部に密着するような円弧凹面とされている。
【００２６】
次に、コネクタ固定金具１０の使用方法について、図４（ａ）〜（ｄ）を参照して説明する。
なお、図面を見易くするため、図４（ａ）〜（ｄ）では絶縁操作棒６０を省略しているとともに、図４（ｂ），（ｄ）では高圧線１および引下線２を破線で示している。
【００２７】
まず、引下線用コネクタ５０を高圧線１に取り付ける際に引下線用コネクタ５０をコネクタ固定金具１０で固定するときの手順について説明する。
（手順１）間接ラチェットでボルト５２を締め付けて、引下線２が挟持された引下線用コネクタ５０を高圧線１に取り付ける。
（手順２）絶縁操作棒６０をコネクタ固定金具１０に取り付ける。
（手順３）絶縁操作棒６０を操作して、図４（ａ），（ｂ）に示すように、引下線用コネクタ５０のボルト５２のボルト頭部がコネクタ固定金具１０の裏面側になるように引下線用コネクタ５０の上端部を固定挟持部材１１の凹面内に位置させる。
（手順４）絶縁操作棒６０を操作して、高圧線保持部材１７の高圧線下方部支持部材１７ａおよび高圧線上方部支持部材１７ｂで高圧線１を挟持（保持）させて、コネクタ固定金具１０を高圧線１に取り付ける。
（手順５）図４（ｃ），（ｄ）に示すように、絶縁操作棒６０を左回りに回して押圧部材１４を上方に移動させ、押圧部材１４によって可動挟持部材１３を圧縮バネ１３ａの付勢力に抗して左方向に移動させて、可動挟持部材１３の左側面部を収納部材１２の開口部から突出させる。これにより、引下線用コネクタ５０の第２の高圧線接続部５１2の右側面が可動挟持部材１３によって左方向に押されて、引下線用コネクタ５０の第２の高圧線接続部５１2の両側面が固定挟持部材１１の凹面の左側面および可動挟持部材１３の左側面によって挟持されることにより、第１の高圧線接続部５１1の下面に把持部５４が取り付けられていて上下方向から挟持して固定することが難しい引下線用コネクタ５０でも容易に固定することができる。
【００２８】
次に、引下線用コネクタ５０を高圧線１から取り外す際の手順について説明する。
（手順１）絶縁ヤットコで引下線用コネクタ５０の把持部５４を把持したのち、間接ラチェットでボルト５２を少し緩める。このとき、引下線用コネクタ５０はコネクタ固定金具１０によって固定されているため、ボルト５２が固く締め付けられていても作業員は間接ラチェットでボルト５２を容易に緩めることができる。
（手順２）絶縁操作棒６０をコネクタ固定金具１０に取り付けたのち、絶縁操作棒６０を右回りに回して押圧部材１４を下方に移動させて、可動挟持部材１３を圧縮バネ１３ａの付勢力によって右方向に移動させて収納部材１２内に収納させる。
（手順３）高圧線保持部材１７の高圧線下方部支持部材１７ａおよび高圧線上方部支持部材１７ｂを高圧線１から外したのち、コネクタ固定金具１０を引下線用コネクタ５０から取り外す。
（手順４）絶縁ヤットコで引下線用コネクタ５０の把持部５４を把持したのち、間接ラチェットでボルト５２を完全に緩めることにより、引下線用コネクタ５０を高圧線１から取り外す。
【００２９】
以上では、締結具としてボルト５２のみを備えた引下線用コネクタ５０を例として説明したが、締結具としてボルトおよびナットを備えるとともに間接ラチェットでナットを締め付けたり緩めたりして引下線用コネクタを高圧線に取り付けるような引下線用コネクタにおいても、コネクタ固定金具１０によって引下線用コネクタを固定することにより、ナットを容易に緩めることができる。
【００３０】
また、高圧線１が水平に架設されている場合を例として説明したが、高圧線１が斜めに架設されている場合には、高圧線下方部支持部材１７ａおよび高圧線上方部支持部材１７ｂが高圧線１と平行にように高圧線保持部材１７を斜めにして固定挟持部材１１の裏面に固定ネジ１８で取り付けるようにしてもよい。
【符号の説明】
【００３１】
１  高圧線
２  引下線
１０  コネクタ固定金具
１１  固定挟持部材
１１ａ  ボルト軸通し用切欠き
１２  収納部材
１３  可動挟持部材
１３ａ  圧縮バネ
１４  押圧部材
１５  ネジ
１６  操作棒取付部材
１７  高圧線保持部材
１７ａ  高圧線下方部支持部材
１７ｂ  高圧線上方部支持部材
１８  固定ネジ
５０  引下線用コネクタ
５１1，５１2  第１および第２の高圧線接続部
５１ａ1，５１ａ2  第１および第２の高圧線保持用溝
５１ｂ  高圧線保持部
５１ｃ1，５１ｃ2  第１および第２の引下線保持用溝
５１ｄ  引下線挿通部
５１ｅ  凹部
５１ｆ  凸部
５２  ボルト
５３1，５３2  第１および第２の弾性材
５４  把持部
５５1，５５2  第１および第２のガイド材
６０  絶縁操作棒
６１ａ  棒部材
６１ｂ  挿入部材
６１ｃ  突起
【図１】
2016111799.tif 000003
【図２】
2016111799.tif 000004
【図３】
2016111799.tif 000005
【図４】
2016111799.tif 000006
【図５】
2016111799.tif 000007